(57)【要約】【課題】紛失や付け替えなどの問題が無いとともに、設置コストを低減できるため管理に要する労力も少ない指紋照合装置を提供すること。【解決手段】装置本体（２）と、指紋照合ユニット（２１）と、患者情報入力手段（３）及び／又は患者画像入力手段（６）から構成され、前記装置本体（２）は、指紋情報と患者の個人情報及び／又は属性情報の関連付けを行う処理手段（４Ａ）を備えたＣＰＵ（４）と、各手段の動作状態を作業者に認識させる報知手段及び／又は表示手段（５）と、患者の指紋情報と個人情報及び／又は属性情報を情報出力手段（８）及び／又は外部装置（３０）に出力する通信手段（２Ｃ）を有し、前記装置本体（２）及び／又は前記指紋照合ユニット（２１）に患者情報入力手段（３及び／又は患者画像入力手段（６）を内蔵するかまたは通信手段（３Ｃ、６Ｃ）を介して接続した指紋照合装置（１）。【選択図】図１
2005095229.tif 000002
【特許請求の範囲】
【請求項１】
装置本体（２）と、指紋照合ユニット（２１）と、患者情報入力手段（３）及び／又は患者画像入力手段（６）から構成され、
前記装置本体（２）は、指紋情報と患者の個人情報及び／又は属性情報の関連付けを行う処理手段（４Ａ）を備えたＣＰＵ（４）と、各手段の動作状態を作業者に認識させる報知手段及び／又は表示手段（５）と、患者の指紋情報と個人情報及び／又は属性情報を情報出力手段（８）及び／又は外部装置（３０）に出力する通信手段（２Ｃ）を有し、
前記指紋照合ユニット（２１）は、患者指紋画像の読取手段（２３）と、指紋画像の変換手段を備えたＣＰＵ（２４）と、報知手段及び／又は表示手段（２５）を有し、
前記装置本体（２）に通信手段（２ＣＷ）を介して指紋照合ユニット（２１）を接続し、
前記装置本体（２）及び／又は前記指紋照合ユニット（２１）に患者情報入力手段（３及び／又は患者画像入力手段（６）を内蔵するかまたは通信手段（３Ｃ、６Ｃ）を介して接続した、ことを特徴とする指紋照合装置（１）。
【請求項２】
前記患者情報入力手段（３）は、指紋情報と文字情報として存在する患者の氏名、性別、年齢等の個人情報及び／又は診療科、病棟名等の属性情報を入力する手段であり、
前記表示手段（５）は患者の個人情報及び／又は属性情報を表示する手段であることを特徴とする請求項１に記載の指紋照合装置（１）。
【請求項３】
指紋情報、個人情報及び／又は属性情報の記憶手段（７）を前記本体装置（２）に配置したことを特徴とする請求項１ないし請求項２に記載の指紋照合装置（１）。
【請求項４】
前記ＣＰＵ（４）は、前記指紋照合ユニット（２１）から入手した指紋情報と一致する指紋情報を前記記憶手段（７）の中に記憶されている指紋情報の照合手段（４Ｂ）と、指紋照合ユニット（２１）から入手した指紋情報と前記情報入力手段（３）より入手した指紋情報の照合手段（４Ｃ）を備える、ことを特徴とする請求項１ないし請求項３に記載の指紋照合装置（１）。
【請求項５】
前記装置本体（２）は、指紋情報と共に個人情報及び／又は属性情報の一部又は全てを通信手段（２Ｃ）を介して情報出力手段（８）及び／又は外部装置（３０）に出力することができることを特徴とする請求項１ないし請求項４に記載の指紋照合装置（１）。
【請求項６】
前記装置本体（２）及び指紋照合ユニット（２１）はバッテリーを内蔵し、単独で電源受給を受けることが可能であることを特徴とする請求項１ないし請求項５に記載の指紋照合装置（１）。
【請求項７】
請求項１から請求項５に記載の機能を有する少なくとも二台以上の装置本体（２）を通信手段（２Ｃ）を介して通信できるようにした、ことを特徴とする指紋照合情報共有システム。
【請求項８】
請求項１から請求項５に記載の機能を有する少なくとも二台以上の装置本体（２）を通信手段（２Ｃ）を介して外部装置（３０）と通信できるようにした、ことを特徴とする指紋照合情報共有システム。
【発明の詳細な説明】
【技術分野】
【０００１】
本発明は、患者の指紋を患者を識別するための情報として読み取る機能を有し、患者から得た指紋情報と、患者の個人情報（例えば顔写真、氏名、年齢、性別等）と属性情報（例えば診療科、病棟名等）を関連付けし、装置本体の記憶手段に記憶しておき、要事に患者の指紋を読み取り、装置本体に記憶されている指紋情報から一致した指紋情報が記憶手段に記憶されていたら、装置本体の表示手段に個人情報及び／又は属性情報を表示し、作業者が投薬や治療を施す際に、対象の患者であることを確認できる指紋照合装置と指紋照合情報共有システムに関する。
【背景技術】
【０００２】
例えば特許文献１と特許文献２には、医療現場における患者の取り違いや過誤を防止する目的で、患者に対して識別手段（例えばリストバンドや、ネームプレートなど）を携帯させることで、カルテに記載されている情報と照合する装置が開示されている。当該装置では、患者が常時識別手段を身に着けていなければならず。患者は常に個人の情報を他人に公開している状態となることで、不安を抱いたり、リストバンドを常時装着していると不潔になり、皮膚病を発する恐れもあることから、患者の側から装着することに不快を示す事も考えられる。また、前記識別手段は故意に取り外すこともでき、消失又は付け替えられるといった問題も存在する。
また特許文献２と特許文献３には、過誤防止を目的としたシステムとして、有線又は無線の通信技術を採用し、コンピューターで集中管理している情報を複数の携帯型情報端末で共有する形態を開示しているが、中小規模の病院では導入に要するコストや、システムを管理する人的資源などの問題から、採用が難しい問題がある。
また特許文献４と特許文献５には、過誤防止を目的として、患者の指紋を情報化する手段を採用して、部屋の鍵やパソコンの利用者を制限する為に用いられている一般的な指紋照合センサを採用した装置が開示されている。当該装置は作業者が患者の指紋を採取しながら装置の操作を行わなければならず、作業が繁雑になり、困難であった。
【０００３】
【特許文献１】特開平２００１−３４４３３８（請求項１〜６）
【特許文献２】特開平２００３−６７４８８（請求項２、３、４、５、６）
【特許文献３】特開平２００１−１９５５２３（請求項１、３、５）
【特許文献４】特開平２００３−７０７６９（請求項１〜９）
【特許文献５】特開平２００２−３７４３４６（請求項１〜６）
【発明の開示】
【発明が解決しようとする課題】
【０００４】
解決しようとする問題点は、カルテ情報照合装置は患者が常時識別手段を身に着けていなければならない点、またこれらの識別手段は故意に取り外すこともでき、消失又は付け替えられる点、コンピューターで集中管理している情報を複数の携帯型情報端末で共有する装置は、中小規模の病院ではコストや、人的資源などの問題から、採用が難しい点、指紋照合センサを採用した装置は作業者が患者の指紋を採取しながら装置の操作を行わなければならない点である。
【課題を解決するための手段】
【０００５】
そこで本発明者は以上の課題を解決するために鋭意検討を重ねた結果次の発明に到達した。
［１］本発明は、装置本体（２）と、指紋照合ユニット（２１）と、患者情報入力手段（３）及び／又は患者画像入力手段（６）から構成され、
前記装置本体（２）は、指紋情報と患者の個人情報及び／又は属性情報の関連付けを行う処理手段（４Ａ）を備えたＣＰＵ（４）と、各手段の動作状態を作業者に認識させる報知手段及び／又は表示手段（５）と、患者の指紋情報と個人情報及び／又は属性情報を情報出力手段（８）及び／又は外部装置（３０）に出力する通信手段（２Ｃ）を有し、
前記指紋照合ユニット（２１）は、患者指紋画像の読取手段（２３）と、指紋画像の変換手段を備えたＣＰＵ（２４）と、報知手段及び／又は表示手段（２５）を有し、
前記装置本体（２）に通信手段（２ＣＷ）を介して指紋照合ユニット（２１）を接続し、
前記装置本体（２）及び／又は前記指紋照合ユニット（２１）に患者情報入力手段（３及び／又は患者画像入力手段（６）を内蔵するかまたは通信手段（３Ｃ、６Ｃ）を介して接続した指紋照合装置（１）を提供する。
［２］本発明は、前記患者情報入力手段（３）は、指紋情報と文字情報として存在する患者の氏名、性別、年齢等の個人情報及び／又は診療科、病棟名等の属性情報を入力する手段であり、
前記表示手段（５）は患者の個人情報及び／又は属性情報を表示する手段である［１］に記載の指紋照合装置（１）を提供する。
［３］本発明は、指紋情報、個人情報及び／又は属性情報の記憶手段（７）を前記本体装置（２）に配置した［１］ないし［２］に記載の指紋照合装置（１）を提供する。
［４］本発明は、前記ＣＰＵ（４）は、前記指紋照合ユニット（２１）から入手した指紋情報と一致する指紋情報を前記記憶手段（７）の中に記憶されている指紋情報の照合手段（４Ｂ）と、指紋照合ユニット（２１）から入手した指紋情報と前記情報入力手段（３）より入手した指紋情報の照合手段（４Ｃ）を備える［１］ないし［３］に記載の指紋照合装置（１）を提供する。
［５］本発明は、前記装置本体（２）は、指紋情報と共に個人情報及び／又は属性情報の一部又は全てを通信手段（２Ｃ）を介して情報出力手段（８）及び／又は外部装置（３０）に出力することができる［１］ないし［４］に記載の指紋照合装置（１）を提供する。
［６］本発明は、前記装置本体（２）及び指紋照合ユニット（２１）はバッテリーを内蔵し、単独で電源受給を受けることが可能である［１］ないし［５］に記載の指紋照合装置（１）を提供する。
［７］本発明は、［１］から［５］に記載の機能を有する少なくとも二台以上の装置本体（２）を通信手段（２Ｃ）を介して通信できるようにした指紋照合情報共有システムを提供する。
［８］本発明は、［１］から［５］に記載の機能を有する少なくとも二台以上の装置本体（２）を通信手段（２Ｃ）を介して外部装置（３０）と通信できるようにした指紋照合情報共有システムを提供する。
【発明の効果】
【０００６】
（１）本発明では、患者の指紋を患者に必要な情報と関連付けることで、識別手段としてのカードやリストバンドと異なり、紛失や付け替えなどの問題が無くなる。
（２）本発明では、患者を識別するシステムとして、装置の構成を装置本体と指紋照合ユニットのみにしても運用できるため、設置コストを低減でき、管理に要する労力も少なく、中小規模の病院でも導入が容易となる。
（３）本発明では、作業者が患者の指紋を読み取る作業を行うのみで良い、指紋照合ユニットを使用するため、作業者が指紋を採取しながら装置の操作を行う必要がないので、操作性及び照合精度が向上する。
（４）本発明の装置本体と、指紋照合ユニットを用いることにより、指紋照合作業が簡素化でき、指紋情報を共有するシステムの構築が容易となる。
【発明を実施するための最良の形態】
【０００７】
図１は本発明の指紋照合装置１の一例を示す概略図で、図２はブロック図、図３及び図４は装置本体２の使用例を示す概略図、図５と図６は本発明の指紋照合ユニットの使用方法の一例を示す使用状態図である。
［指紋照合装置１］
本発明の指紋照合装置１は、装置本体２と、指紋照合ユニット２１と、患者情報の情報入力手段３及び／又は患者画像入力手段６とから構成される。
【０００８】
［装置本体２］
装置本体２は、通信手段２ＣＷを介して指紋照合ユニット２１を接続している。
さらに装置本体２には、患者の情報入力手段３（例えばバーコードスキャナ）を内蔵又は通信手段３Ｃを介して接続し、患者の個人情報として患者の顔写真を撮影することができる画像入力手段６（例えばカメラ等）を内蔵又は通信手段６Ｃを介して接続している。
装置本体２には、指紋情報及び患者の個人情報及び／又は属性情報を記録するための記憶手段７が配置されている。
装置本体２は、通信手段２ＣＷを介して指紋照合ユニット２１から入手した指紋情報と、通信手段２Ｃ、３Ｃ及び／又は６Ｃを介して情報入力手段３及び／又は画像入力手段６により入手した患者の個人情報及び／又は属性情報の関連付けを行い、記憶手段７に記録する処理手段４Ａを備えたＣＰＵ４と、各手段の動作状態を作業者に認識させる報知手段及び／又は表示手段５と、指紋情報を情報出力手段８及び/又は外部装置３０に出力する通信手段２Ｃを有する。
【０００９】
装置本体２は、指紋情報と比較された個人情報及び／又は属性情報の一部又は全てを通信手段２Ｃを介して情報出力手段８及び／又は外部装置３０（外部情報出力機器、例えばパソコン等）に出力することができる。
さらに装置本体２は、同様の装置本体２同士で通信を行い、情報を共有することが出来る機能を有する（図３参照）。
すなわち少なくとも二台以上の装置本体２を通信手段２Ｃを介して通信できるようにして、指紋照合情報共有システムを構築することができる。
さらにパソコン等の外部装置３０を中心にしたネットワーク上で、複数の装置本体２が無線方式の通信手段２Ｃ（例えば無線LANやPHS回線）を用いて情報を共有する機能も有する。（図４参照）
すなわち少なくとも二台以上の装置本体２を通信手段２Ｃを介して外部装置３０と通信できるようにして指紋照合情報共有システムを構築することができる。
また図１から図４に例示した装置本体２に代えて、患者情報入力手段３（バーコードスキャナ）を内蔵している携帯型情報端末、患者の画像入力手段６（カメラ）を内蔵している携帯型情報端末を使用することができる。
【００１０】
［通信手段２Ｃ、２ＣＷ、３Ｃ、６Ｃ、８Ｃ］
装置本体２、情報入力手段３、画像入力手段６、情報出力手段８、指紋照合ユニット２１、外部装置３０は、それぞれ通信手段２Ｃ、２ＣＷ、３Ｃ、６Ｃ、８Ｃとして、（Ａ）連結による接続方式（例えば、コンパクトフラッシュタイプカードスロット）、（Ｂ）有線方式（例えばUSB、RS232C）または（Ｃ）無線方式（例えばIrDA又は無線LAN、PHS回線による通信、ブルートゥースなど）を採用することができる。（図２のブロック図参照）
（Ａ）連結による接続方式は、患者の情報入力手段３（例えばバーコードスキャナ）、患者の画像入力手段６（カメラ）等を接続する際に使用される。
（Ｂ）有線方式は、指紋照合ユニット２１や外部装置３０（情報共有用のパソコン）との通信に使用される。
（Ｃ）無線方式は、情報出力手段８（ラベルプリンタ）又は、外部装置３０（パソコン）、情報端末である装置本体２同士の通信に使用される。
【００１１】
［ＣＰＵ４］
ＣＰＵ４は、指紋画像と患者の個人情報及び／又は属性情報を関連付けする処理手段４Ａの他に、通信手段２ＣＷを介して指紋照合ユニット２１から入手した指紋情報と一致する記憶手段７に記録されている指紋情報を照合し、一致する指紋情報があったら、記憶手段７に指紋情報と関連付けて記憶されている患者の個人情報及び／又は属性情報を表示手段５に表示する照合手段４Ｂを備える。
また、ＣＰＵ４は、指紋照合ユニット２１から入手した指紋情報と情報入力手段３から入手した指紋情報を照合し、照合された結果を表示手段５に表示する照合手段４Ｃを有する。
【００１２】
［情報入力手段３、画像入力手段６］
情報入力手段３は、指紋情報と文字情報として存在する患者の氏名、性別、年齢等の人情報及び／又は診療科、病棟名等の属性情報を装置本体２に入力する手段であり、情報入力手段３として、例えばコンパクトフラッシュ型の二次元バーコードスキャナを採用できる。
情報入力手段３は、装置本体２に内蔵及び／又は通信手段３Ｃを介して接続することができる。
画像入力手段６（例えばカメラ等）は、患者の個人情報として患者の顔写真（画像）を撮影することができる。画像入力手段６（例えばカメラ等）は装置本体２に内蔵することもできるし又は通信手段６Ｃ（図示せず）を介して接続することもできる。
また、情報入力手段３及び画像入力手段６は、指紋照合ユニット２１に内蔵しても良い。
【００１３】
［報知手段及び／又は表示手段５］
報知手段及び／又は表示手段５は各手段の動作状態を作業者に認識させるもので、表示手段は患者の個人情報及び／又は属性情報を表示する手段である。
前記報知手段は、例えば指紋の読み取り時に不具合が生じた際の事態を表示するもので、例えば複数のＬＥＤランプ等を採用することができる。例えば読み取りが正常に行えた場合は緑色のランプが点灯、読み取りが正常に行えなければ赤色のランプが点灯、機器の不具合により照合が行えない場合は黄色のランプが点灯するようにして、操作者に状態を報知することができる。他にもブザーを使用して音で作業者に上記の状態を知らせる方法も採用することができる。
また表示手段５は、例えば指紋照合ユニット２１によって入手された指紋情報と一致する指紋情報が記憶手段７で照会した結果、一致するものがあった場合、一致した指紋情報と関連付けられて記録されていた患者の個人情報（例えば、ＩＤ番号、氏名、年齢、性別、顔写真など）と属性情報（例えば、所属する病棟、担当医師名など）を表示する、例えば液晶モニタを採用することができる。
さらに表示手段５は、例えばタッチパネル式の液晶モニタを採用することにより、キー／ボタン２Ｋを配置することができる。これにより作業者によって装置の操作を行う作業（例えば、指紋照合ユニットによる指紋画像の取り込みを開始する命令を与えるためのボタンを配置する）や患者情報及び／又は属性情報の一部を入力する作業（例えば、患者が登録する指紋の指名を入力できるように１０本の指の名前をボタンで配置する）行うことができる。
【００１４】
［記憶手段７］
記憶手段７は一般的に情報を記憶できるものであれば何でも採用することができる。例えばフラッシュＲＯＭ等の不揮発メモリー等を採用することができる。
［情報出力手段８］
情報出力手段８は例えば赤外線（IrDA）で通信を行うラベルプリンタを採用できる。
患者の指紋情報及び文字情報として個人情報及び属性情報を二次元バーコード形式にして例えばラベル用紙、紙等の情報出力媒体に印刷できる。また、患者の画像や個人情報や属性情報などの文字を情報出力媒体に印刷することができる。
［指紋照合ユニット２１］
指紋照合ユニット２１は、患者の指紋画像入力手段２３と、指紋画像を指紋情報に変換する変換手段を備えたＣＰＵ２４と、報知手段及び／又は表示手段２５を有する。
指紋照合ユニット２１は、通信手段２ＣＷ(ケーブル)を介して、装置本体２と接続する。また同等の通信手段２ＣＷを介して情報入力手段３（二次元バーコードスキャナ）や画像入力手段６（カメラ）との接続を行うことが出来る。前記各手段の具体的構成部材は、前記装置本体２の各手段と実質的に同じものを使用することができる。
［バッテリー］
装置本体２及び指紋照合ユニット２１はバッテリー（図示せず）を内蔵することにより、単独で電源受給を受けることが可能となる。これにより小型軽量化でき、携帯可能となる。
【００１５】
次に本発明の指紋照合装置１の使用方法の一例について説明する。
本発明の指紋照合装置１は、図５に例示するように装置本体２と指紋照合ユニット２１のみでも使用することができる。
［登録］
（１）患者の指紋を指紋照合ユニット２１で読み取り、指紋情報に変換して装置本体２に送信する。［図５（Ａ）参照］
（２）装置本体２に接続（又は内蔵）されている情報入力手段３（バーコードスキャナ）によって、必要な患者情報を入力する。また、一部の情報入力は装置本体２に付属するボタン（図示せず）や表示手段５に配置されたボタン／キー２Ｋによって入力する。［図５（Ｂ）参照］
（３）患者の写真（主に顔）を装置本体２に接続（又は内蔵）されている画像入力手段６（カメラ）によって撮影する。［図５（Ｃ）参照］
（４）患者の指紋情報及び個人情報、属性情報、画像情報は装置本体２内の記憶手段７に記億される。［図５（Ｄ）参照］
［照合］
（５）患者の指紋を指紋照合ユニット２１で読み取り、指紋情報に変換して装置本体２に送信する。
（６）装置本体２のＣＰＵ４が記憶手段７に記録されている指紋情報の中から一致する指紋情報を検索する。
（７）一致している指紋情報が存在する場合、装置本体２の表示手段５に患者情報及び属性情報、顔写真を表示し、作業者が内容を確認できる。
（８）一致している情報が無い場合、装置本体２の表示手段５に一致する患者情報が無いことを表示し、作業者に通知する。
（９）表示手段５に表示された患者情報は出力手段８（ラベルプリンタ）により情報出力媒体４０（ラベル）に印刷することができる。［図５（Ｅ）参照］
（１０）作業者は、患者の情報を取得し、診療情報（例えばカルテや処方箋など）と照合して適正な処置を施すことが出来る。
【００１６】
また本発明の指紋照合装置１は、図６に例示するように情報出力手段８（ラベルプリンタ）を組み合わせて、物と人（患者）の照合も行う事ができる。
［登録］
（１）患者の指紋を指紋照合ユニット２１で読み取り、指紋情報に変換して装置本体２に送信する。[図６（Ａ）参照]
（２）装置本体２に接続（又は内蔵）されている情報入力手段３（バーコードスキャナ）によって、必要な患者情報を入力する。また、一部の情報入力は装置本体２に付属するボタン（図示せず）や表示手段５に配置されたボタン／キー２Ｋによって入力する。
（３）装置本体２から、指紋情報及び必要な情報を情報出力手段８（ラベルプリンタ）に送信し、二次元バーコード形式で情報を情報出力媒体４０（ラベル）に印刷する。
（４）印刷された二次元バーコードラベルを患者に関連する物（患者から採取した自己血の入った血液バッグや患者のカルテ、患者のＸ線画像など）に貼付する。
［照合］
（５）二次元バーコードラベルを装置本体２に内蔵／又は接続されている情報入力手段３（バーコードスキャナ）で読み取る。
（６）指紋照合ユニット２１で指紋を読み取り、指紋情報を装置本体２に送信する。
（７）装置本体２内で二次元バーコードラベルに記録されていた指紋情報と指紋照合ユニット２１より送られてきた指紋情報をＣＰＵ４で照合する。［図６（Ｂ）参照］
（８）照合が一致している場合、装置本体２の表示手段５に照合が一致していることを表示し、作業者にこれを通知する。［図６（Ｄ）参照］
（９）照合が一致していない場合、装置本体２の表示手段５に照合が不一致であることを表示し、作業者にこれを通知する。
（１０）照合された結果は、情報出力手段８（ラベルプリンタ）により情報出力媒体４１（紙）に印刷することができる。［図６（Ｅ）参照］
（１１）照合が一致していることが、確認できたことによって作業者は、患者に対して適正な処置を行うことが出来る。
【図面の簡単な説明】
【００１７】
【図１】本発明の指紋照合装置の概略図
【図２】本発明の指紋照合装置のブロック図
【図３】本発明の指紋照合情報共有システムを示す概略図
【図４】本発明の指紋照合情報共有システムを示す概略図
【図５】本発明の指紋照合装置の使用状態図
【図６】本発明の指紋照合装置の使用状態図
【符号の説明】
【００１８】
１  指紋照合装置
２  装置本体
２Ｃ  通信手段（無線）
２ＣＷ  通信手段（有線、ケーブル）
２Ｋ  キー／ボタン
３  情報入力手段（指紋情報と患者の個人情報及び属性情報の読取り手段、バーコードスキャナ）
３Ｃ  通信手段（コネクタ）
４  ＣＰＵ
５  報知手段及び／又は表示手段
６  画像入力手段（患者画像の撮影手段、カメラ）
７  記憶手段
８  情報出力手段（印刷手段）
８Ｃ  通信手段
２１  指紋照合ユニット
２１Ｃ  通信手段
２３  指紋画像入力手段（指紋画像の読取り手段）
２４  指紋画像の変換手段（ＣＰＵ）
２５  報知手段及び／又は表示手段
３０  外部装置（パソコン）
４０、４１  情報出力媒体（ラベル、紙）
【図１】
2005095229.tif 000003
【図２】
2005095229.tif 000004
【図３】
2005095229.tif 000005
【図４】
2005095229.tif 000006
【図５】
2005095229.tif 000007
【図６】
2005095229.tif 000008